(57)【特許請求の範囲】
【請求項１】
複合シートと表面シートとが所定の形状領域に易剥離剤を塗布することにより形成された易剥離層による易剥離領域とそれ以外の接着領域とにより直線状の境界線に沿って区画されて互いに積層接着され、前記易剥離領域内における複合シートの１個所乃至複数個所には内径Ｒの湯切孔形状の湯切孔形成用ハーフカットが形成された即席食品容器の湯切孔付き蓋において、前記複合シートと表面シートとの積層内面における該表面シート側に前記直線状の境界線と略平行な方向に易引裂性を備えた易引裂性フィルムが積層接着され、該易引裂性フィルム面に易剥離剤を塗布することにより前記易剥離層が形成されていることを特徴とする即席食品容器の湯切孔付き蓋。
【請求項２】
前記内径Ｒの湯切孔形成用ハーフカットの湯切孔形状領域内の複合シートと表面シートの内面には、少なくとも内径ｒがｒ＜Ｒのハーフカット領域内接着部が形成されている請求項１記載の即席食品容器の湯切孔付き蓋。
【請求項３】
前記ハーフカット領域内接着部の外側から湯切孔形状領域の僅か外側に亘る易剥離領域に、複数個のドットを点在させたドットパターン状部分接着部が形成されている請求項２記載の即席食品容器の湯切孔付き蓋。
【請求項４】
前記ハーフカット領域内接着部の外側から湯切孔形状領域の僅か外側に亘る易剥離領域に、前記ハーフカット領域内接着部を中心とする略放射状の複数個のドット配列によるドットパターン状部分接着部が形成されている請求項２記載の即席食品容器の湯切孔付き蓋。
【請求項５】
前記ハーフカット領域内接着部の外側から湯切孔形状領域の僅か外側に亘る易剥離領域に、前記ハーフカット領域内接着部を中心とする略放射状の線パターン状部分接着部が形成されている請求項２記載の即席食品容器の湯切孔付き蓋。
【請求項６】
前記湯切孔形状の内径Ｒが５．５ｍｍ≦Ｒ≦６．５ｍｍ、前記ハーフカット領域内接着部の内径ｒが、２．０ｍｍ≦ｒ≦４．３ｍｍである請求項２乃至請求項５記載の即席食品容器の湯切孔付き蓋。
【請求項７】
前記複数個のドットパターン状部分接着部の少なくとも最大ドット径が０．３〜０．５ｍｍである請求項４又は請求項６記載の即席食品容器の湯切孔付き蓋。
【請求項８】
前記複数個の線パターン状部分接着部の少なくとも最大線幅が０．３〜０．５ｍｍである請求項５又は請求項６記載の即席食品容器の湯切孔付き蓋。
【請求項９】
前記易剥離領域の易剥離層が網点パターン状に形成されている請求項１記載の即席食品容器の湯切孔付き蓋。
【請求項１０】
前記易剥離領域の易剥離層が網目パターン状に形成されている請求項１記載の即席食品容器の湯切孔付き蓋。
【請求項１１】
前記パターン状に形成された易剥離層の面積率が６０〜９０％である請求項９又は請求項１０記載の即席食品容器の湯切孔付き蓋。
【請求項１２】
前記網点パターン状の網点径が０．５〜１．５ｍｍである請求項９記載の即席食品容器の湯切孔付き蓋。
【請求項１３】
前記網目パターン状の網目孔径が０．３〜０．５ｍｍである請求項１０記載の即席食品容器の湯切孔付き蓋。
【発明の詳細な説明】
【０００１】
【発明の属する技術分野】
本発明は、焼そばなど即席食品の密封包装に使用する容器の蓋に関し、特に乾燥状態の即席食品を柔らかくほぐすために注入する熱湯を排出するための湯切孔を備えた即席食品容器の湯切孔付き蓋に関する。
【０００２】
【従来の技術】
従来の即席食品容器の湯切孔付き蓋は、例えば、図２（ａ）の側断面図、図２（ｂ）の平面図に示すように、表面シート１１を表面側（外面側）にして、その内面側（食品側）に複合シート１を重ね合わせ積層したシート状の蓋Ａ（例えば円形状蓋）であり、その蓋の外周円弧部分からその内側にかけて一部領域の前記複合シート１と表面シート１１との重ね合わせ内面には易剥離剤（剥離ニス）を塗布することにより形成された易剥離層５による易剥離領域Ｌ1 （斜線領域）を備え、それ以外の該複合シート１と表面シート１１との重ね合わせ内面には、接着された状態の接着領域Ｌ2 （非剥離領域）を備え、前記表面シート１１には、前記易剥離領域Ｌ1 とそれ以外の接着領域Ｌ2 との区画境界部分に沿って直線状の切離線９（例えばミシン目刻切線）が形成されている。
【０００３】
そして、易剥離領域Ｌ1 内における複合シート１の１個所乃至複数個所には、複合シート１側から、表面シート１１と複合シート１との積層界面又は複合シート１と易剥離層５との積層界面に達する内径Ｒの湯切孔形状の湯切孔形成用ハーフカット７が形成され、該湯切孔形成用ハーフカット７領域内の複合シート１と表面シート１１の内面には内径ｒのハーフカット領域内接着部６（易剥離層５の形成されない領域）が設けられていて、複合シート１と表面シート１１とはハーフカット領域内接着部６において互いに接着している。
【０００４】
このような構造の即席食品容器の蓋Ａは、図３に示すように即席食品を入れた容器Ｂの上端部にある開口フランジ部２１に接着シールして容器を密封包装することにより即席食品を密封包装した即席食品容器となるものである。
【０００５】
上記のようにして即席食品を密封包装した容器Ｂは、図２（ｂ）に示す接着領域Ｌ2 側の蓋Ａの外周にある複合シート１のプルタブ１３を引っ張り上げて、容器のフランジ部２１から接着領域Ｌ2 側の複合シート１を部分的に剥離して容器Ｂを開口し、その開口部より容器Ｂ内に熱湯を注入した後、開口部分のプルタブ１３を再度フランジ部２１の外側に折り込むようにして施蓋して、中にある即席食品を柔らかくほぐすために数分間放置する。
【０００６】
その後、図２（ｂ）に示す蓋Ａの易剥離領域Ｌ1 の外周にある表面シート１１のプルタブ１２を矢印方向に引っ張りながら持ち上げ、ミシン目による切離線９に沿って表面シート１１の易剥離領域Ｌ1 側を、図４に示すように複合シート１から剥離するとともに、該表面シート１１に接着している複合シート１の湯切孔形成用ハーフカット７領域を切り離して複合シート１に内径Ｒの数個の湯切孔８を形成した後、容器を傾けて中にある湯を湯切孔８から排出することができるようになっている。
【０００７】
【発明が解決しようとする課題】
上記のような即席食品容器の蓋Ａの湯切孔８の形成操作には、前記切離線９が必要であり、表面シート１１のプルタブ１２を矢印方向に引っ張り上げ、ミシン目による切離線９に沿って表面シート１１の易剥離領域Ｌ1 側を複合シート１から剥離することによって行うため、例えば、切離線９のミシン目の刻切が不十分であると、易剥離領域Ｌ1 側の表面シート１１の切り離し操作が円滑にできず、接着領域Ｌ2 側の表面シート１１の方向に向かって紙剥けが生じたりして、正確に剥離できない場合があり、前記湯切孔形成用ハーフカット７のカッティング精度とともに、切離線９の正確な刻切加工を必要としていた。また、表面シート１１が紙製であり、この表面シート１１に塗布する易剥離層が紙に浸透するので、塗布両の管理が難しく、易剥離層の部分で良好に剥離せずに紙剥けなどが発生し易かった。
【０００８】
本発明は、上記のようなミシン目の刻切による切離線９を設けることなく、易剥離領域Ｌ1 とそれ以外の接着領域Ｌ2 との区画境界部分に沿って直線状に正確に易剥離領域Ｌ1 側の表面シート１１を切り離すことができるようにするとともに、易剥離層の塗布を安定して行うことができるようにすることにある。
【０００９】
【課題を解決するための手段】
本発明の請求項１に係る発明は、複合シートと表面シートとが所定の形状領域に易剥離剤を塗布することにより形成された易剥離層による易剥離領域とそれ以外の接着領域とにより直線状の境界線に沿って区画されて互いに積層接着され、前記易剥離領域内における複合シートの１個所乃至複数個所には内径Ｒの湯切孔形状の湯切孔形成用ハーフカットが形成された即席食品容器の湯切孔付き蓋において、前記複合シートと表面シートとの積層界面における該表面シート側に前記直線状の境界線と略平行な方向に易引裂性を備えた易引裂性フィルムが積層接着され、該易引裂性フィルム面に易剥離剤を塗布することにより前記易剥離層が形成されていることを特徴とする即席食品容器の湯切孔付き蓋である。
【００１０】
次に本発明の請求項２に係る発明は、上記請求項１に係る発明において、前記内径Ｒの湯切孔形成用ハーフカットの湯切孔形状領域内の複合シートと表面シートの内面には、少なくとも内径ｒがｒ＜Ｒのハーフカット領域内接着部が形成されている即席食品容器の湯切孔付き蓋である。
【００１１】
次に本発明の請求項３に係る発明は、上記請求項２に係る発明において、前記ハーフカット領域内接着部の外側から湯切孔形状領域の僅か外側に亘る易剥離領域に、複数個のドットを点在させたドットパターン状部分接着部が形成されている即席食品容器の湯切孔付き蓋である。
【００１２】
次に本発明の請求項４に係る発明は、上記請求項２に係る発明において、前記ハーフカット領域内接着部の外側から湯切孔形状領域の僅か外側に亘る易剥離領域に、前記ハーフカット領域内接着部を中心とする略放射状の複数個のドット配列によるドットパターン状部分接着部が形成されている即席食品容器の湯切孔付き蓋である。
【００１３】
次に本発明の請求項５に係る発明は、上記請求項２に係る発明において、前記ハーフカット領域内接着部の外側から湯切孔形状領域の僅か外側に亘る易剥離領域に、前記ハーフカット領域内接着部を中心とする略放射状の線パターン状部分接着部が形成されている即席食品容器の湯切孔付き蓋である。
【００１４】
次に本発明の請求項６に係る発明は、上記請求項２乃至請求項５に係る発明において、前記湯切孔形状の内径Ｒが５．５ｍｍ≦Ｒ≦６．５ｍｍ、前記ハーフカット領域内接着部の内径ｒが、２．０ｍｍ≦ｒ≦４．３ｍｍである即席食品容器の湯切孔付き蓋である。
【００１５】
次に本発明の請求項７に係る発明は、上記請求項４又は請求項６に係る発明において、前記複数個のドットパターン状部分接着部の少なくとも最大ドット径が０．３〜０．５ｍｍである即席食品容器の湯切孔付き蓋である。
【００１６】
次に本発明の請求項８に係る発明は、上記請求項５又は請求項６に係る発明において、前記複数個の線パターン状部分接着部の少なくとも最大線幅が０．３〜０．５ｍｍである即席食品容器の湯切孔付き蓋である。
【００１７】
次に本発明の請求項９に係る発明は、上記請求項１に係る発明において、前記易剥離領域の易剥離層が網点パターン状に形成されている即席食品容器の湯切孔付き蓋である。
【００１８】
次に本発明の請求項１０に係る発明は、上記請求項１に係る発明において、前記易剥離領域の易剥離層が網目パターン状に形成されている即席食品容器の湯切孔付き蓋である。
【００１９】
次に本発明の請求項１１に係る発明は、上記請求項９又は請求項１０に係る発明において、前記パターン状に形成された易剥離層の面積率が６０〜９０％である即席食品容器の湯切孔付き蓋である。
【００２０】
次に本発明の請求項１２に係る発明は、上記請求項９に係る発明において、前記網点パターン状の網点径が０．５〜１．５ｍｍである即席食品容器の湯切孔付き蓋である。
【００２１】
次に本発明の請求項１３に係る発明は、上記請求項１０に係る発明において、前記網目パターン状の網目孔径が０．３〜０．５ｍｍである即席食品容器の湯切孔付き蓋である。
【００２２】
【作用】
本発明の即席食品容器の湯切孔付き蓋は、複合シート１と表面シート１１とが所定の形状領域に易剥離剤を塗布することにより形成された易剥離層５による易剥離領域Ｌ1 と、それ以外の接着領域Ｌ2 とにより直線状の境界線５ａに沿って区画されて互いに積層接着され、その複合シート１と表面シート１１との積層界面における該表面シート１１側に前記直線状の境界線５ａと略平行な方向（両矢印Ｘ方向に易引裂性を備えた易引裂性フィルム１１ａが介在している。
【００２３】
そのため、即席食品を入れて施蓋包装された容器Ｂの上記湯切孔付き蓋の複合シート１のプルタブ１３を引っ張り上げて、接着領域Ｌ2 側の複合シート１を剥離して容器Ｂを開口し、その開口部より容器Ｂ内に熱湯を注入して再度施蓋し、中にある即席食品を柔らかくほぐすために数分間放置した後に、易剥離領域Ｌ1 側の表面シート１１を複合シート１から剥離して複合シート１に内径Ｒの数個の湯切孔８を形成する際に、易剥離領域Ｌ1 側の表面シート１１は易引裂性フィルム１１ａの易引裂性方向であるＸ方向に沿って引き裂き易く、特に、表面シート１１に境界線５ａに沿って易切離部を形成加工しなくても、易剥離領域Ｌ1 側の表面シート１１を、そのＸ方向と平行な接着領域Ｌ2 との境界線５ａに沿って容易に切り破り、接着領域Ｌ2 側の表面シート１１から円滑に切り離すことができるものである。
【００２４】
また、易引裂性フィルム１１ａに易剥離層を塗布することになるので、易剥離層は表面シートに浸透せず、易剥離層の安定した塗布を行うことができる。
【００２５】
【発明の実施の形態】
本発明の即席食品容器の湯切孔付き蓋を、図１（ａ）に示す蓋の側断面図、図１（ｂ）に示す蓋の平面図に基づいて以下に詳細に説明する。
【００２６】
本発明の湯切孔付き蓋Ａは、円形状（四角形など多角形状）の複合シート１と表面シート１１とが、蓋の外周より所定の形状領域に亘って易剥離剤をベタ状に塗布することにより、又は網目状パターン（又は網点パターン状、あるいは市松模様パターン状又は砂目パターン状）に塗布することにより形成されたパターン状の易剥離層５による易剥離領域Ｌ1 と、該易剥離層５の非形成領域である接着領域Ｌ2 とにより、その易剥離領域Ｌ1 と接着領域Ｌ2 との直線状の境界線５ａに沿って区画されて互いに積層接着されている。
【００２７】
前記複合シート１と表面シート１１との積層界面における該表面シート１１側には、前記直線状の境界線５ａと略平行な方向に易引裂性を備えた易引裂性フィルム１１ａが積層接着されていて、該易引裂性フィルム１１ａ面に易剥離剤を塗布することにより前記易剥離層５が形成され、該表面シート１１はその積層内面側に易引裂性フィルム１１ａを備えている。
【００２８】
また、本発明の湯切孔付き蓋Ａは、表面シート１１の易剥離領域Ｌ1 と接着領域Ｌ2 との境界線５ａ相当部には、容易に切り離しするための刃型などによるカッティング加工（ミシン目刻切、ハーフカッティング）による易切離部は、特に形成する必要はないが、必要に応じて易切離部が形成させていてもよい。
【００２９】
図１（ｂ）に示すように、湯切孔付き蓋Ａには、易剥離領域Ｌ1 における易引裂性フィルム１１ａを備えた表面シート１１には、蓋の一部外周外側方向に突出するように延設した、表面シート１１と易引裂性フィルム１１ａとを易剥離層５を介して複合シート１から剥離する際に使用する表面シート剥離用のプルタブ１２が設けられ、また、接着領域Ｌ2 における少なくとも複合シート１には、蓋の一部外周外側方向に突出するように延設した、蓋を容器本体（開口部）から剥離する際に使用する蓋剥離用プルタブ１３が設けられている。
【００３０】
前記易剥離領域Ｌ1 内における複合シート１の１個所乃至複数個所には、複合シート１側から、表面シート１１と易引裂性フィルム１１ａとの積層界面又は易剥離層５と複合シート１との積層界面に達する内径Ｒの湯切孔形状の湯切孔形成用ハーフカット７が形成されている。ハーフカット７は、複合シート１の裏面側（表面シート１１と反対側）から型刃によってカッティング加工されている。
【００３１】
易剥離領域Ｌ1 は、複合シート１と表面シート１１との内面に易剥離剤をベタ状に塗布するか、又は網目状パターン（又は網点パターン状、あるいは市松模様パターン状又は砂目パターン状）に塗布して形成した易剥離層５によって形成されている。
【００３２】
例えば、図１（ｂ）に示すように、複合シート１と表面シート１１との内面における前記内径ｒのハーフカット領域内接着部６を除く湯切孔形成用ハーフカット７の領域内を含めて易剥離領域Ｌ1 には、例えば、ベタ状の易剥離層５が形成され、又は網点径が０．５〜１．５ｍｍ、網点線数が０．５〜２．０線／ｍｍの網点パターン状の易剥離層５、又は網目孔径が０．３〜  ０．５ｍｍ、網目線数が０．５〜２．０線／ｍｍの網目パターン状の６０〜９０％の面積率の易剥離層５が形成されている。
【００３３】
前記パターン状の易剥離層５は、複合シート１と表面シート１１との積層接着された蓋材に対して複合シート１側から湯切孔形成用ハーフカット７を型刃によってカッティング加工する際に、湯切孔形状の湯切孔形成用ハーフカット７の周辺に沿って、複合シート１と表面シート１１との接着内面に、前記易剥離層５による型刃のカッティング圧力や衝撃による予定外の不規則な剥離を生じない程度に易剥離性を保持して接着する網点径及び網点線数、あるいは網目孔径及び網目線数、又は面積率を持つ網点パターン状、網目状パターン、あるいは市松模様パターン状、砂目パターン状などパターン状の易剥離層５が形成されているものであり、このパターンは易剥離層５が適正な易剥離機能を保持しつつ、予定外の不規則な剥離を生じない程度の接着性を持つように設定することが必要であって、適正な易剥離性を保持するために、上記のような網点パターン、網目パターン、市松模様パターン、砂目パターン状が適当である。
【００３４】
本発明における湯切孔形状の湯切孔形成用ハーフカット７の内径Ｒは、湯が円滑に排出できて、湿潤によってほぐれた即席食品が湯と一緒に排出されずに容器内に止まる程度の孔径であれば、特に限定されるものではないが、例えば、５ｍｍ〜７ｍｍ程度でよく、望ましくは５．５ｍｍ≦Ｒ≦６．５ｍｍがよい。
【００３５】
このような構造の即席食品容器の蓋Ａは、従来と同様に図３に示すように、即席食品を入れた容器Ｂ（プラスチック製又は紙製）の上端部にある開口フランジ部２１に接着シールして容器Ｂを密封包装することにより即席食品を密封包装した即席食品容器となるものである。
【００３６】
上記のようにして即席食品を密封包装した容器Ｂは、図１（ｂ）に示す接着領域Ｌ2 側の蓋Ａの外周にある複合シート１のプルタブ１３を引っ張り上げて、容器のフランジ部２１から接着領域Ｌ2 側の複合シート１を部分的に剥離して容器Ｂを開口し、その開口部より容器Ｂ内に熱湯を注入した後、開口部分のプルタブ１３を再度フランジ部２１の外側に折り込むようにして施蓋して、中にある即席食品を柔らかくほぐすために数分間放置する。
【００３７】
その後、図１（ｂ）に示す蓋Ａの易剥離領域Ｌ1 の外周にある表面シート１１のプルタブ１２を、図４に示すように従来と同様に引っ張り上げて、易剥離領域Ｌ1 の表面シート１１を複合シート１から剥離するとともに、該表面シート１１に接着している湯切孔形成用ハーフカット７領域内の複合シート１を切り離し、複合シート１に内径Ｒの数個の湯切孔８を形成した後、容器Ｂを傾けて中にある湯を湯切孔８から排出することができる。
【００３８】
本発明の即席食品容器の湯切孔付き蓋の層構成及び材料構成は、本発明においては特に限定されるものではないが、例えば１例として、図１（ａ）の蓋の側断面図に示すようなものがある。
【００３９】
複合シート１としては、容器内面側から順に、押し出しラミによるポリエチレン樹脂層２、アルミニウム箔層３、サンドラミによるポリエチレン樹脂層４からなるものである。
【００４０】
表面シート１１としては、片面アート紙（例えば厚さ１２７．９ｇ／ｍ2 ）が使用され、その表面に適宜に印刷等を施すことにより蓋の表面シートとして形成する。また、これ以外に合成樹脂フィルム、あるいは紙と合成樹脂フィルムとの複合フィルムであってもよい。
【００４１】
複合シート１と表面シート１１との積層境界面に介在させた易引裂性フィルム１１ａとしては一軸延伸樹脂フィルムが使用でき、一軸延伸ポリプロピレンフィルム（例えば、東洋化学（株）製；カラリアン、東レ（株）製；ＹＴ−２２、三井東圧（株）製；ハイブロン）が使用でき、延伸方向である易引裂性方向を境界線５ａと平行な方向にして積層介在させたものである。
【００４２】
また、易剥離層５を形成する易剥離剤としては、ウレタン系樹脂、硝化綿（セルロース）系樹脂、硝化綿（セルロース）とウレタン系樹脂とのブレンド樹脂などによる易剥離剤が使用できる。
【００４３】
【発明の効果】
本発明の即席食品容器の湯切孔付き蓋は、複合シートと表面シートとの積層界面における該表面シート側に直線状の境界線と略平行な方向に易引裂性を備えた易引裂性フィルムが積層接着されており、易剥離領域側の表面シートを複合シートから剥離して複合シートに所定内径の数個の湯切孔を形成する際に、易剥離領域側の表面シートは、易引裂性フィルムの易引裂性方向に沿って引き裂き易い。
【００４４】
そのため、特に表面シートに境界線に沿って易切離部を形成加工しなくても、易剥離領域側の表面シートを、その易引裂性方向と平行な接着領域との境界線に沿って容易に切り破ることができ、たとえ表面シートにミシン目刻切部（易切離部）を形成加工しなくても、また表面シートに刻切されたミシン目刻切部の加工が不十分であっても、接着領域側の表面シート方向に向かって紙剥けが生じたりすることがなく、易剥離領域側の表面シートを境界線の易引裂方向に沿って接着領域側の表面シートから円滑に切り離して複合シートに所定内径の湯切孔を形成することができる効果がある。
【００４５】
また、表面シートに設けた易引裂性フィルムに易剥離層を塗布することになるので、易剥離層の塗布を安定して行うことができ、従来のような易剥離層の不安定な塗布状態の発生が回避でき、易剥離層の不安定な塗布による紙剥けの発生などを防止する効果がある。
【００４６】
また、本発明の即席食品容器の湯切孔付き蓋は、易剥離層を網点パターン、網目パターンなどのパターン状に形成することにより、表面シートと複合シートとの積層接着により形成されている蓋材の易剥離領域内に湯切孔形成用ハーフカットをカッティング加工する際に、ハーフカット用型刃のカッティング圧力や衝撃によって表面シートと複合シートとが湯切孔形成用ハーフカット周辺にて予定外の不規則な剥離が生じるのを回避できる効果がある。
【図面の簡単な説明】
【図１】（ａ）は本発明即席食品容器の湯切孔付き蓋の実施の形態における側断面図、（ｂ）はその蓋の平面図。
【図２】（ａ）は従来の即席食品容器の湯切孔付き蓋の側断面図、（ｂ）はその蓋の平面図。
【図３】従来の即席食品容器の湯切孔付き蓋を施蓋した即席食品容器の側面図。
【図４】従来の即席食品容器の湯切孔付き蓋を開封した状態を説明する拡大側断面図。
【符号の説明】
Ａ…湯切孔付き蓋  Ｂ…容器  Ｌ1 …易剥離領域  Ｌ2 …接着領域
Ｒ…湯切孔形成用ハーフカットの内径  ｒ…ハーフカット領域内接着部の内径
１…複合シート  ５…網目状の易剥離層  ５ａ…境界線
６…ハーフカット領域内接着部  ７…湯切孔形成用ハーフカット  ８…湯切孔
９…切離部
１１…表面シート  １１ａ…易引裂性フィルム  １２…プルタブ
１３…プルタブ
【図１】
0004168504.tif 000002
【図２】
0004168504.tif 000003
【図３】
0004168504.tif 000004
【図４】
0004168504.tif 000005